(57)【要約】【解決手段】マスター再生装置は、１以上のスレーブ再生装置とオーディオデータの同期再生を実行可能なマスター再生装置である。前記マスター再生装置は、複数の発光要素と、生成部と、送信部と、発光制御部とを具備する。前記生成部は、オーディオデータを解析して得られる解析データに基づき、前記複数の発光要素の発光要素に発光態様を関連付けるイルミネーション情報を生成するように構成される。前記送信部は、前記生成されたイルミネーション情報を前記１以上のスレーブ再生装置に送信するように構成される。前記発光制御部は、前記イルミネーション情報に基づく前記発光態様で前記複数の発光要素を発光させるように構成される。【選択図】図１
2018154996.tif 000002
【特許請求の範囲】
【請求項１】
１以上のスレーブ再生装置とオーディオデータの同期再生を実行可能なマスター再生装置であって、
複数の発光要素と、
オーディオデータを解析して得られる解析データに基づき、前記複数の発光要素の発光要素に発光態様を関連付けるイルミネーション情報を生成するように構成された生成部と、
前記生成されたイルミネーション情報を前記１以上のスレーブ再生装置に送信するように構成された送信部と、
前記イルミネーション情報に基づく前記発光態様で前記複数の発光要素を発光させるように構成された発光制御部と
を具備するマスター再生装置。
【請求項２】
請求項１に記載のマスター再生装置であって、
前記スレーブ再生装置は、少なくとも１つの発光要素を有し、
前記複数の発光要素による発光と、前記スレーブ再生装置の前記発光要素による発光とを同期させるための発光制御コマンドを生成するように構成された発光制御コマンド生成部をさらに具備し、
前記送信部は、前記生成された発光制御コマンドを前記スレーブ再生装置に送信するように構成される
マスター再生装置。
【請求項３】
請求項１に記載のマスター再生装置であって、
前記１以上スレーブ再生装置のうち少なくとも１つは、前記マスター再生装置の前記複数の発光要素の数、配置および機能レベルのうち少なくとも１つが異なるように構成された１以上の発光要素を有する異機種スレーブ再生装置であり、
前記送信部は、前記イルミネーション情報を前記異機種スレーブ再生装置に送信するように構成される
マスター再生装置。
【請求項４】
請求項１に記載のマスター再生装置であって、
前記生成部は、前記イルミネーション情報の前記発光態様として、前記複数の発光要素のうち、第１発光要素にはカラー値を関連付け、第２発光要素には輝度値を関連付けたイルミネーション情報を生成するように構成される
マスター再生装置。
【請求項５】
請求項１に記載のマスター再生装置であって、
前記生成部は、前記イルミネーション情報の前記発光態様として、前記複数の発光要素にそれぞれ関連付けられた発光パターンと、複数のカラー値の組み合わせを規定するカラーテーブルとを含むイルミネーション情報を生成するように構成される
マスター再生装置。
【請求項６】
請求項５に記載のマスター再生装置であって、
前記生成部は、前記発光パターンによる発光パターンのカラー範囲が、前記カラーテールで規定された前記複数のカラー値の組み合わせで規定されるイルミネーション情報を生成するように構成される
マスター再生装置。
【請求項７】
マスター再生装置とオーディオデータの同期再生を実行可能なスレーブ再生装置であって、
１以上の発光要素と、
オーディオデータと、複数の発光要素を有する前記マスター再生装置により生成されるイルミネーション情報であって、前記オーディオデータの解析データに基づき生成された、前記複数の発光要素の発光要素に発光態様を関連付けるイルミネーション情報とを、前記マスター再生装置から受信するように構成される受信部と、
前記受信したイルミネーション情報に基づき、前記１以上の発光要素を発光させるように構成された発光制御部と
を具備するスレーブ再生装置。
【請求項８】
請求項７に記載のスレーブ再生装置であって、
前記受信部は、前記複数の発光要素による発光と、前記スレーブ再生装置の前記発光要素による発光とを同期させるための、前記マスター再生装置から送信された発光制御コマンドを受信するように構成される
スレーブ再生装置。
【請求項９】
請求項７に記載のスレーブ再生装置であって、
前記１以上の発光要素の数および配置のうち少なくとも一方が、前記マスター再生装置の前記複数の発光要素のそれとは異なる
スレーブ再生装置。
【請求項１０】
請求項７に記載のスレーブ再生装置であって、
前記１以上の発光要素のうち少なくとも１つの機能レベルが、前記マスター再生装置の前記複数の発光要素のうち予め対応する少なくとも１つの発光要素の機能レベルとは異なる
スレーブ再生装置。
【請求項１１】
請求項１０に記載のスレーブ再生装置であって、
前記マスター再生装置は、前記イルミネーション情報の前記発光態様として、前記複数の発光要素のうち少なくとも１つに、カラー値を含む情報を関連付けたイルミネーション情報を生成するように構成され、
前記発光制御部は、前記カラー値を所定のアルゴリズムで変換して、前記１以上の発光要素のうち少なくとも１つを発光させるように構成される
スレーブ再生装置。
【請求項１２】
請求項１１に記載のスレーブ再生装置であって、
前記発光制御部は、前記カラー値を輝度値に変換するように構成される
スレーブ再生装置。
【請求項１３】
請求項７に記載のスレーブ再生装置であって、
前記受信部は、前記マスター再生装置の前記複数の発光要素の配置に、前記１以上の発光要素の配置を対応付ける配置対応情報を、前記マスター再生装置から受信するように構成される
スレーブ再生装置。
【請求項１４】
１以上のスレーブ再生装置とオーディオデータの同期再生を実行可能なマスター再生装置による発光方法であって、
オーディオデータを解析して解析データを取得し、
前記取得された解析データに基づき、前記マスター再生装置が有する複数の発光要素の発光要素に発光態様を関連付けるイルミネーション情報を生成し、
前記生成されたイルミネーション情報を前記１以上のスレーブ再生装置に送信し、
前記イルミネーション情報に基づく前記発光態様で前記複数の発光要素を発光させる
発光方法。
【請求項１５】
マスター再生装置とオーディオデータの同期再生を実行可能なスレーブ再生装置による発光方法であって、
オーディオデータと、複数の発光要素を有する前記マスター再生装置により生成されるイルミネーション情報であって、前記オーディオデータの解析データに基づき生成された、前記複数の発光要素の発光要素に発光態様を関連付けるイルミネーション情報とを、前記マスター再生装置から受信し、
前記受信したイルミネーション情報に基づき、前記スレーブ再生装置が有する１以上の発光要素を発光させる
発光方法。
【請求項１６】
請求項１５に記載の発光方法であって、
前記１以上の発光要素のうち少なくとも１つの機能レベルが、前記マスター再生装置の前記複数の発光要素の機能レベルとは異なり、
前記マスター再生装置は、前記イルミネーション情報の前記発光態様として、前記複数の発光要素のうち少なくとも１つに、カラー値を含む情報を関連付けたイルミネーション情報を生成するように構成され、
前記１以上の発光要素の発光では、前記カラー値を所定のアルゴリズムで変換して、前記１以上の発光要素のうち少なくとも１つを発光させる
発光方法。
【発明の詳細な説明】
【技術分野】
【０００１】
本技術は、オーディオデータを複数の再生装置で同期して再生し、またこれらの装置が備える発光要素を発光させるための技術に関する。
【背景技術】
【０００２】
従来、家庭内にホームネットワークを構築し、そこに接続された再生装置により、音楽や映像等のコンテンツを再生するシステムが知られている。例えば特許文献１には、ネットワークに接続された複数の再生装置によりグループを構成し、同一のコンテンツを同期再生させるマルチルーム再生の制御方法について記載されている（明細書段落［００４３］〜［００４６］、図８参照）。【０００３】
特許文献２には、照明装置を備えた音響再生装置が記載されている。この音響再生装置では、再生されるオーディオデータが解析される。その解析結果に応じて、照明装置の発光タイミングや明るさ等が適宜制御される。これによりオーディオコンテンツの再生を、聴覚のみならず視覚からも楽しむことが可能となり、高い興奮や高揚感を体験することが可能となる（明細書段落［００２６］〜［００４１］参照）。
【先行技術文献】
【特許文献】
【０００４】
【特許文献１】国際公開第2016/103546号
【特許文献２】国際公開第2014/103118号
【発明の概要】
【発明が解決しようとする課題】
【０００５】
今後も、複数の再生装置によるオーディオデータの再生技術は普及していくものと考えられる。したがって、ユーザーがより楽しむことができる製品やサービスを提供することが求められる。【０００６】
本開示の目的は、ユーザーの興趣の向上を図るためのマスター再生装置、スレーブ再生装置およびこれらの再生方法を提供することにある。
【課題を解決するための手段】
【０００７】
上記目的を達成するため、一形態に係るマスター再生装置は、１以上のスレーブ再生装置とオーディオデータの同期再生を実行可能なマスター再生装置である。
前記マスター再生装置は、複数の発光要素と、生成部と、送信部と、発光制御部とを具備する。
前記生成部は、オーディオデータを解析して得られる解析データに基づき、前記複数の発光要素の発光要素に発光態様を関連付けるイルミネーション情報を生成するように構成される。
前記送信部は、前記生成されたイルミネーション情報を前記１以上のスレーブ再生装置に送信するように構成される。
前記発光制御部は、前記イルミネーション情報に基づく前記発光態様で前記複数の発光要素を発光させるように構成される。【０００８】
複数の発光要素を有するマスター再生装置は、イルミネーション情報に基づいてそれら発光要素ごとに個別に発光を制御し、また、そのイルミネーション情報を１以上のスレーブ再生装置に送信する。これにより、マスター再生装置は、スレーブ再生装置と同期してオーディオデータを再生し、そのオーディオデータに応じた発光を行うことができる。これにより、ユーザーの興趣の向上が図られる。【０００９】
前記スレーブ再生装置は、少なくとも１つの発光要素を有してもよい。前記マスター再生装置は、前記複数の発光要素による発光と、前記スレーブ再生装置の前記発光要素による発光とを同期させるための発光制御コマンドを生成するように構成された発光制御コマンド生成部をさらに具備してもよい。前記送信部は、前記生成された発光制御コマンドを前記スレーブ再生装置に送信するように構成されていてもよい。【００１０】
これにより、マスター再生装置は、スレーブ再生装置と同期して発光要素を発光させることができる。【００１１】
前記１以上スレーブ再生装置のうち少なくとも１つは、前記マスター再生装置の前記複数の発光要素の数、配置および機能レベルのうち少なくとも１つが異なるように構成された１以上の発光要素を有する異機種スレーブ再生装置であってもよい。前記送信部は、前記イルミネーション情報を前記異機種スレーブ再生装置に送信するように構成されていてもよい。【００１２】
このマスター再生装置は、自身が使用するイルミネーション情報と同じイルミネーション情報を、異機種スレーブ再生装置に送信する。異機種スレーブ再生装置は、発光要素の数または機能レベルが異なる発光要素を有していたとしても、そのイルミネーション情報を使用して発光制御を実行する。【００１３】
前記生成部は、前記イルミネーション情報の前記発光態様として、前記複数の発光要素のうち、第１発光要素にはカラー値を関連付け、第２発光要素には輝度値を関連付けたイルミネーション情報を生成するように構成されていてもよい。【００１４】
これにより、マスター再生装置は複数の発光要素を用いて多彩なイルミネーションを実現できる。【００１５】
前記生成部は、前記イルミネーション情報の前記発光態様として、前記複数の発光要素にそれぞれ関連付けられた発光パターンと、複数のカラー値の組み合わせを規定するカラーテーブルとを含むイルミネーション情報を生成するように構成されていてもよい。
これにより、マスター再生装置は複数の発光要素を用いて、上述のカラー値や輝度値を関連付けたイルミネーション情報に比べ、より多彩なイルミネーションを実現できる。【００１６】
前記生成部は、前記発光パターンによる発光パターンのカラー範囲が、前記カラーテールで規定された前記複数のカラー値の組み合わせで規定されるイルミネーション情報を生成するように構成されていてもよい。【００１７】
一形態に係るスレーブ再生装置は、マスター再生装置とオーディオデータの同期再生を実行可能なスレーブ再生装置である。
前記スレーブ再生装置は、１以上の発光要素と、受信部と、発光制御部とを具備する。
前記受信部は、オーディオデータと、複数の発光要素を有する前記マスター再生装置により生成されるイルミネーション情報であって、前記オーディオデータの解析データに基づき生成された、前記複数の発光要素の発光要素に発光態様を関連付けるイルミネーション情報とを、前記マスター再生装置から受信するように構成される。
前記発光制御部は、前記受信したイルミネーション情報に基づき、前記１以上の発光要素を発光させるように構成される。【００１８】
複数の発光要素を有するマスター再生装置は、イルミネーション情報に基づいてそれら発光要素ごとに個別に発光を制御し、スレーブ再生装置は、マスター再生装置で生成されたイルミネーション情報を受信する。これにより、スレーブ再生装置は、マスター再生装置と同期してオーディオデータを再生し、イルミネーション情報に基づきそのオーディオデータに応じて１以上の発光要素を発光させることができる。これにより、ユーザーの興趣の向上が図られる。【００１９】
前記受信部は、前記複数の発光要素による発光と、前記スレーブ再生装置の前記発光要素による発光とを同期させるための、前記マスター再生装置から送信された発光制御コマンドを受信するように構成されていてもよい。【００２０】
これにより、スレーブ再生装置は、マスター再生装置と同期して発光要素を発光させることができる。【００２１】
前記１以上の発光要素の数および配置のうち少なくとも一方が、前記マスター再生装置の前記複数の発光要素のそれとは異なっていてもよい。【００２２】
前記１以上の発光要素のうち少なくとも１つの機能レベルが、前記マスター再生装置の前記複数の発光要素のうち予め対応する少なくとも１つの発光要素の機能レベルとは異なっていてもよい。【００２３】
前記マスター再生装置は、前記イルミネーション情報の前記発光態様として、前記複数の発光要素のうち少なくとも１つに、カラー値を含む情報を関連付けたイルミネーション情報を生成するように構成されていてもよい。前記発光制御部は、前記カラー値を所定のアルゴリズムで変換して、前記１以上の発光要素のうち少なくとも１つを発光させるように構成されていてもよい。【００２４】
マスター再生装置が使用するイルミネーション情報と同じイルミネーション情報を、このスレーブ再生装置が受信する。このスレーブ再生装置の発光要素の１つの機能レベルが異なっていたとしても、発光制御部は、マスター再生装置のカラー値をそのまま使わず、これを変換することにより、マスター再生装置に応じた発光を行うことができる。【００２５】
前記発光制御部は、前記カラー値を輝度値に変換するように構成されていてもよい。【００２６】
一形態に係る発光方法は、１以上のスレーブ再生装置とオーディオデータの同期再生を実行可能なマスター再生装置による発光方法である。
オーディオデータが解析されて解析データが生成される。
前記取得された解析データに基づき、前記マスター再生装置が有する複数の発光要素の発光要素に発光態様を関連付けるイルミネーション情報が生成される。
前記生成されたイルミネーション情報が前記１以上のスレーブ再生装置に送信される。
前記イルミネーション情報に基づく前記発光態様で前記複数の発光要素が発光させられる。【００２７】
一形態に係る発光方法は、マスター再生装置とオーディオデータの同期再生を実行可能なスレーブ再生装置による発光方法である。
オーディオデータと、複数の発光要素を有する前記マスター再生装置により生成されるイルミネーション情報であって、前記オーディオデータの解析データに基づき生成された、前記複数の発光要素の発光要素に発光態様を関連付けるイルミネーション情報とが、前記マスター再生装置から受信される。
前記受信したイルミネーション情報に基づき、前記スレーブ再生装置が有する１以上の発光要素が発光させられる。【００２８】
前記１以上の発光要素のうち少なくとも１つの機能レベルが、前記マスター再生装置の前記複数の発光要素の機能レベルとは異なっていてもよい。前記マスター再生装置は、前記イルミネーション情報の前記発光態様として、前記複数の発光要素のうち少なくとも１つに、カラー値を含む情報を関連付けたイルミネーション情報を生成するように構成されていてもよい。前記１以上の発光要素の発光では、前記カラー値を所定のアルゴリズムで変換して、前記１以上の発光要素のうち少なくとも１つが発光させられる。
【発明の効果】
【００２９】
以上、本技術によれば、ユーザーの興趣の向上を図ることができる。【００３０】
なお、ここに記載された効果は必ずしも限定されるものではなく、本開示中に記載されたいずれかの効果であってもよい。
【図面の簡単な説明】
【００３１】
【図１】図１は、本技術の一実施形態に係る再生システムの構成を示す図である。
【図２】図２Ａ〜Ｄの上は、再生装置の構成、特に発光要素の配置を模式的にそれぞれ示す。図２Ａ〜Ｄの下は、それら再生装置が有する発光要素の機能レベルをそれぞれ示す。
【図３】図３は、再生装置のシステム構成を示すブロック図である。
【図４】図４は、マスター再生装置およびスレーブ再生装置による発光の同期制御のシーケンスを示す図である。
【図５】図５は、マスター再生装置により生成された、実施形態１に係るイルミネーション情報を示すテーブルである。
【図６】図６は、マスター再生装置により生成された、実施形態２に係るイルミネーション情報を示すテーブルである。
【発明を実施するための形態】
【００３２】
以下、本技術に係る実施形態を、図面を参照しながら説明する。
【００３３】
１．システム構成
【００３４】
図１は、本技術の一実施形態に係る再生システムの構成を示す図である。この再生システム１００は、例えばコンピュータ５０と、オーディオデータを再生可能な複数の再生装置１０とを備える。
【００３５】
コンピュータ５０は、典型的には、スマートフォンやタブレット型コンピュータである。コンピュータ５０は、ラップトップ型、あるいはデスクトップ型のものであってもよい。
【００３６】
複数の再生装置１０は、主にスピーカーとして機能する。複数の再生装置１０は、１つのマスター再生装置１１と、このマスター再生装置１１に接続可能な１以上のスレーブ再生装置１２とを含む。本実施形態では、複数のスレーブ再生装置１２がマスター再生装置１１にマルチ接続可能となっている。
【００３７】
コンピュータ５０とマスター再生装置１１とは、近距離無線通信を利用して接続され得る。また、マスター再生装置１１とスレーブ再生装置１２も近距離無線通信を利用して接続され得る。近距離無線通信の規格として、本実施形態ではBluetooth（登録商標、以下同じ）が用いられる。近距離無線通信として、Bluetoothの代わりにZigbeeが用いられてもよい。
【００３８】
近距離無線通信に限られず、ＷｉＦｉ等の無線ＬＡＮにより、これらの機器が接続されてもよい。マスター再生装置１１は、複数のスレーブ再生装置１２とマルチ接続できるように構成されている。
【００３９】
コンピュータ５０は、オーディオデータを記憶する図示しないストレージを備えている。ユーザーによりコンピュータ５０が操作されることで、コンピュータ５０は、そのストレージ内のオーディオデータをマスター再生装置１１に送信し、マスター再生装置１１はこれを再生することができる。また、マスター再生装置１１は、後述するようにそのオーディオデータをスレーブ再生装置１２に送信し、スレーブ再生装置１２は、マスター再生装置１１と同期してそのオーディオデータを再生することができる。
【００４０】
２．再生装置
【００４１】
２．１）再生装置の外観上の構成
【００４２】
図２Ａ〜Ｄの上は、再生装置１０の構成、特に発光要素の配置を模式的にそれぞれ示す。図２Ａ〜Ｄの下は、それら再生装置１０が有する発光要素の機能レベルをそれぞれ示す。図２Ａはマスター再生装置１１、図２Ｂ〜Ｄはスレーブ再生装置１２を示す。図２Ａ〜Ｄに示す再生装置１０は、図１に示す再生装置１０にそれぞれ対応している。
【００４３】
各再生装置１０は、ハウジング１５と、複数のスピーカー部１４とを備える。各スピーカー部１４により、複数チャンネル型のスピーカーが実現される。
【００４４】
マスター再生装置１１は、例えば複数の発光要素Ｌ１〜Ｌ４、Ｆ１、Ｆ２、Ｓ１、Ｓ２を備える。各スレーブ再生装置１２も同様に複数の発光要素を備える。
【００４５】
図２Ｂに示すスレーブ再生装置１２Ａは、マスター再生装置１１と同一機種である。マスター再生装置１１およびスレーブ再生装置１２Ａの機種を、説明の便宜上、第１機種とする。図２Ｃに示すスレーブ再生装置１２Ｂの機種（第２機種）、図２Ｄに示すスレーブ再生装置１２Ｃの機種（第３機種）は、第１機種とはそれぞれ異なる。すなわち、複数のスレーブ再生装置１２Ａ〜１２Ｃのうち少なくとも１つはマスター再生装置１１の機種とは異なる異機種スレーブ再生装置である。
【００４６】
具体的には、第２機種の発光要素の数は第１機種のそれより少なく、第２機種の発光要素の機能レベルは第１機種のそれとは異なる。また、一部の発光要素の配置もそれらの機種間で異なる。
【００４７】
第３機種の発光要素の数は第２機種（および第１機種）のそれより少なく、第３機種の発光要素の機能レベルは第２機種（および第１機種）のそれとは異なる。具体的には、第３機種の１以上の発光要素のうち少なくとも１つの機能レベルが、第２機種（および第１機種）の複数の発光要素のうち予め対応する少なくとも１つの発光要素の機能レベルとは異なる。これについての詳細は後述する。また、一部の発光要素の配置もそれらの機種間で異なる。
【００４８】
１つの発光要素は、例えば１以上のＬＥＤ（Light Emitting Diode）で構成されている。具体的には、１以上のＬＥＤにより点状、ライン状、または面状の発光領域が形成される。その１つの発光領域が１つの発光要素に対応する。また、発光要素の付随的な構成として、ライトガイドも設けられる場合もある。図２では、本技術を理解しやすくするため、各発光要素を模式的にスター型として描かれている。なお、これら発光要素は有機ＥＬ（Electro-Luminescence）により構成されていてもよい。
【００４９】
各発光要素は、再生装置１０のハウジング１５の所定の位置にそれぞれ配置される。例えば図２Ａ、Ｂに示す第１機種では、ハウジング１５の４角に、４つの発光要素Ｌ１、Ｌ２、Ｌ３、Ｌ４がそれぞれ配置されている。スピーカー部１４に隣接して２つの発光要素Ｆ１、Ｆ２がそれぞれ配置されている。そして、スピーカー部１４内に２つの発光要素Ｓ１、Ｓ２がそれぞれ配置されている。
【００５０】
図２Ｃに示す第２機種のスレーブ再生装置１２Ｂでは、ハウジング１５の両端中央に２つの発光要素Ｌ１'、Ｌ３'がそれぞれ配置されている。スピーカー部１４に隣接して２つの発光要素Ｆ１、Ｆ２がそれぞれ配置されている。そして、スピーカー部１４内に２つの発光要素Ｓ１'、Ｓ２'がそれぞれ配置されている。
【００５１】
図２Ｄに示す第３機種のスレーブ再生装置１２Ｃでは、ハウジング１５の両端中央に２つの発光要素Ｌ１"、Ｌ３"がそれぞれ配置されている。そして、スピーカー部１４に隣接して２つの発光要素Ｆ１、Ｆ２がそれぞれ配置されている。
【００５２】
なお、「Ｌ」はライン状の発光領域を、「Ｆ」は例えば点状の発光領域を形成するフラッシュを、「Ｓ」はスピーカー部１４内の配置を意味する。しかし、発光領域の形状や配置は、図２Ａ〜Ｄに示す形態に限られない。
【００５３】
発光要素Ｌ１〜Ｌ４、Ｌ１'、Ｌ３'は、フルカラー（例えばＲＧＢ値）で発光するように構成される。発光要素Ｌ１"、Ｌ３"、Ｆ１、Ｆ２、Ｓ１'、Ｓ２'は、例えば単色（例えば白色系の単色であるが、他の色でもよい）で発光するように構成される。発光要素Ｓ１、Ｓ２は、フルカラー（例えばＲＧＢ値）で発光するように構成される。
【００５４】
すなわち、第２機種の発光要素Ｓ１'、Ｓ２'の機能レベルは、発光要素Ｓ１、Ｓ２より劣る。また、第３機種の発光要素Ｌ１"、Ｌ３"の機能レベルは、発光要素Ｌ１、Ｌ２、Ｌ３、Ｌ４、Ｌ１'、Ｌ３'より劣る。
【００５５】
２．２）再生装置のシステム構成
【００５６】
図３は、再生装置１０のシステム構成を示すブロック図である。マスター再生装置１１は、ＢＴＭ（Bluetooth Module）１１ａ、ＤＳＰ（Digital Signal Processor）１１ｂ、ＭＣＵ（Micro Controller Unit）１１ｃ、および、発光デバイス１６を備える。スレーブ再生装置１２も、基本的にはマスター再生装置１１の構成と同様の構成を有する。
【００５７】
マスター再生装置１１およびスレーブ再生装置１２は、これらの構成要素の他、図示しないがＲＡＭ（Random Access Memory）、ＲＯＭ（Read Only Memory）等のメモリを有する。ＲＯＭには、ＭＣＵ１１ｃ、１２ｃの動作や機能を実現するために必要なプログラムやデータが記憶される。
【００５８】
発光デバイス１６は、複数の発光要素Ｌ１、Ｌ２、Ｆ１、Ｓ１等や、それを駆動するドライバ等を含む。
【００５９】
ＢＴＭ１１ａは、Bluetooth規格に基づいて、コンピュータ５０（図１参照）の図示しないＢＴＭや、他の再生装置１０とのＢＴＭ１２ａとの間で通信を行う。ＢＴＭ１１ａは、主に、オーディオデータおよび発光制御に関するデータの通信を行う。ＢＴＭ１１ａ、１１２ａは、「送信部」および／または「受信部」として機能する。
【００６０】
マスター再生装置１１のＤＳＰ１１ｂは、主に、ＢＴＭ１１ａから送られたオーディオデータの解析して解析データを生成し、生成された解析データをＭＣＵ１１ｃに出力する機能を有する。ＤＳＰ１１ｂは、本実施形態では、解析処理として周波数解析、特に低周波を抽出する処理を行う。また、ＤＳＰ１１ｂは、例えば図示しないＤＡ変換器を介して、オーディオデータをスピーカー部１４に出力する機能を有する。
【００６１】
マスター再生装置１１のＭＣＵ１１ｃは、ＤＳＰ１１ｂから解析データを取得し、解析データに基づきイルミネーション情報を生成する。この場合、主にＭＣＵ１１ｃは「生成部」として機能する。具体的には、ＭＣＵ１１ｃは解析データとしての低音成分のデータに基づき、ビートを検出する。ＤＳＰ１１ｂおよびＭＣＵ１１ｃは、ビートだけでなく、テンポ、リズム、調（キー）を検出するようにしてもよい。
【００６２】
そして、ＭＣＵ１１ｃは、それらのビート等の情報に基づきイルミネーション情報を生成することにより、オーディオデータに応じたイルミネーション情報を生成することができる。
【００６３】
イルミネーション情報は、マスター再生装置１１の発光要素Ｌ１〜Ｌ４、Ｆ１、Ｆ２、Ｓ１、Ｓ２に発光態様をそれぞれ関連付ける情報である。ＭＣＵ１１ｃは、生成したイルミネーション情報に基づく発光態様で前記複数の発光要素を発光させる機能を有する。この場合、主にＭＣＵ１１ｃは「発光制御部」として機能する。
【００６４】
ＭＣＵ１１ｃは、生成したイルミネーション情報をＢＴＭ１１ａに出力する。ＭＣＵ１１ｃからＢＴＭ１１ａへの送信には、例えばＵＡＲＴ（Universal Asynchronous Receiver Transmitter）が用いられる。
【００６５】
また、ＭＣＵ１１ｃは、スレーブ再生装置１２と同期して発光を制御するための発光制御コマンドを生成する発光制御コマンド生成部（図示せず）を含む。ＭＣＵ１１ｃは、生成した発光制御コマンドを、ＢＴＭ１１ａを介してスレーブ再生装置１２に送信する。これにより、マスター再生装置１１と１以上のスレーブ再生装置１２との間で、各発光要素による同期発光が実現される。
【００６６】
ＭＣＵ１１ｃは、スレーブ再生装置１２とオーディオデータを同期して再生するための再生制御コマンドをさらに生成する。ＭＣＵ１１ｃは、生成した再生制御コマンドを、ＢＴＭ１１ａを介してスレーブ再生装置１２に送信する。これにより、マスター再生装置１１と１以上のスレーブ再生装置１２との間で、オーディオデータの同期再生が実現される。ＭＣＵ１１ｃは、システムクロック、カウンタ、周波数制御等の手段を利用して公知の方法により同期再生を実現できる。
【００６７】
ＭＣＵ１１ｃは、上記イルミネーション情報、発光制御コマンド、および再生制御コマンドを含むデータをヘッダ部とし、オーディオデータをデータ部として、これらのデータをパケット形式でスレーブ再生装置１２に送信することができる。
【００６８】
あるいは、ＭＣＵ１１ｃは、イルミネーション情報および／または発光制御コマンドを、オーディオデータとは独立してスレーブ再生装置１２に送信するようにしてもよい。この場合、ＭＣＵ１１ｃは、オーディオデータに同期させるためのデータを、イルミネーション情報および／または発光制御コマンドに含ませて送信する。
【００６９】
スレーブ再生装置１２のＢＴＭ１２ａは、マスター再生装置１１からの上記イルミネーション情報、発光制御コマンド、再生制御コマンド、オーディオデータを受信する。ＭＣＵ１２ｃ（あるいはＤＳＰ１２ｂ）は、マスター再生装置１１に同期してオーディオデータをスピーカー部１４に出力する。また、ＭＣＵ１２ｃは、イルミネーション情報および発光制御コマンド基づき、自身の発光要素の発光を制御する。
【００７０】
３．発光同期制御
【００７１】
図４は、マスター再生装置１１およびスレーブ再生装置１２による発光の同期制御のシーケンスを示す図である。
【００７２】
マスター再生装置１１のＭＣＵ１１ｃは、発光制御コマンドを生成する（ステップ１０１）。これにより、例えばXXmsec後に発光制御の実行が開始されるようなタイマーが、ＭＣＵ１１ｃのシステムクロックで設定される（ステップ１０２）。ＭＣＵ１１ｃは、ＢＴＭ１１ａのクロック（ＢＴクロック）の現時刻を要求する（ステップ１０３）。ＢＴＭクロックはその要求に応じてＢＴクロックの現時刻をＭＣＵ１１ｃに送信する（ステップ１０４）。ＢＴクロックの現時刻を例えば"1000"とする。
【００７３】
ＭＣＵ１１ｃは、ステップ１０２で設定された発光制御の実行時刻（開始時刻）を、ＢＴクロックに換算する（ステップ１０５）。例えば換算後のＢＴクロックを"1100"とする。ＭＣＵ１１ｃは、生成した発光制御コマンド（実行時刻1100）をＢＴＭ１１ａに送り（ステップ１０６）、ＢＴＭ１１ａはその発光制御コマンド（実行時刻1100）をスレーブ再生装置１２のＢＴＭ１２ａに送る（ステップ１０７）。
【００７４】
スレーブ再生装置１２のＢＴＭ１２ａは、その発光制御コマンドをＭＣＵ１２ｃに送る（ステップ１０８）。そうすると、ＭＣＵ１２ｃは、発光制御の実行時刻をシステムクロックに換算し、YYmsec後に発光制御の実行時刻を設定する（ステップ１０９）。
【００７５】
本シーケンスの前提として、マスター再生装置１１およびスレーブ再生装置１２が近距離無線通信で接続された時点で、互いのＭＣＵ１１ｃ、１２ｃのシステムクロックは同期状態にある。したがって、ステップ１０９後、マスター再生装置１１およびスレーブ再生装置１２は、発光制御を時刻1100に同時に実行することができる（ステップ１１０ａ、１１０ｂ）。
【００７６】
４．発光制御についての実施形態
【００７７】
４．１）実施形態１
【００７８】
図５は、マスター再生装置１１により生成された、実施形態１に係るイルミネーション情報を示すテーブルである。イルミネーション情報は、上記したように、発光要素ごとにこれらに関連付けられた発光態様を示す情報である。
【００７９】
このイルミネーション情報の例では、フルカラーで発光可能な発光要素（第１発光要素）Ｌ１〜Ｌ４、Ｓ１、Ｓ２には、カラー値（ＲＧＢ値）が設定される。単色で発光可能な発光要素（第２発光要素）Ｆ１、Ｆ２には輝度値が設定される。カラー値および輝度値は、解析データに基づくビート検出により検出されたビート、あるいは、解析データに基づき検出されたテンポ、リズム、調に基づき、所定のアルゴリズムで設定される。
【００８０】
マスター再生装置１１は、このイルミネーション情報をスレーブ再生装置１２に送信する。その送信間隔は、所定の時間単位である。その時間単位は、例えば30msec〜200msecである。
【００８１】
スレーブ再生装置１２がイルミネーション情報を受信する。そうすると、スレーブ再生装置１２のＭＣＵ１２ｃは、イルミネーション情報を、自身が持つ各発光要素に対応する割り当て、それら発光要素を発光させる。スレーブ再生装置１２は、イルミネーション情報を受信するごと、つまり上記時間単位ごとに、そのイルミネーション情報に基づき発光要素を発光させる。具体的には、第２機種、第３機種のスレーブ再生装置１２Ｂ、１２Ｃは、以下のようにして発光制御を実行する。
【００８２】
４．１．１）第１機種のスレーブ再生装置１２Ａの発光制御
【００８３】
第１機種のスレーブ再生装置１２Ａ（図２Ａ参照）の発光要素の数、配置および機能レベルは、マスター再生装置１１のそれとすべて同じである。したがって、第１機種のスレーブ再生装置１２Ａは、イルミネーション情報をそのまま自身の発光要素に割り当て、マスター再生装置１１と同じ発光態様で発光を制御する。これは、後述する実施形態２でも同様である。
【００８４】
４．１．２）第２機種のスレーブ再生装置１２Ｂの発光制御
【００８５】
一方、第２機種のスレーブ再生装置１２Ｂ（図２Ｃ参照）の発光要素の数、配置および機能レベルは、マスター再生装置１１のそれと異なる。例えば、マスター再生装置１１の発光要素Ｌ１、Ｌ３と、発光要素Ｌ１'、Ｌ３'とは異なる配置であるが、発光要素Ｌ１、Ｌ３が、発光要素Ｌ１'、Ｌ３'にそれぞれ割り当てられる。この割り当て方は予め決められた事項であり、すなわち、発光要素Ｌ１'がＬ１に対応し、発光要素Ｌ３'がＬ３に対応することが予め決められている。そして、スレーブ再生装置１２ＢのＭＣＵ１２ｃは、発光要素Ｌ１、Ｌ３の発光態様のデータ（カラー値）を、Ｌ１'、Ｌ３'に関連付けるようにして、イルミネーション情報を生成する。
【００８６】
また、第２機種のスレーブ再生装置１２Ｂでは、マスター再生装置１１の発光要素Ｓ１、Ｓ２が、発光要素Ｓ１'、Ｓ２'にそれぞれ割り当てられる。それらの機種間で発光要素Ｓ１、Ｓ２と、Ｓ１'、Ｓ２'との配置は同じであるが、Ｓ１'、Ｓ２'の機能レベルは単色であり、Ｓ１、Ｓ２の機能レベルとは異なる。この場合、スレーブ再生装置１２ＢのＭＣＵ１２ｃは、受信したイルミネーション情報のＳ１、Ｓ２のカラー値を輝度値に所定のアルゴリズムで変換し、その輝度値を発光要素Ｓ１'、Ｓ２'の発光態様としてこれらに関連付けるようにして、イルミネーション情報を生成する。
【００８７】
カラー値から輝度値への変換式の一例を、下記式１に示す。
輝度値 = 0.299Ｒ+0.587G+0.114B      （式１）
【００８８】
また、マスター再生装置１１の発光要素Ｆ１、Ｆ２の発光態様は、第２機種のスレーブ再生装置１２Ｂの発光要素Ｆ１、Ｆ２にそのまま関連付けられるようにしてイルミネーション情報が生成される。このスレーブ再生装置１２Ｂは、マスター再生装置１１の発光要素Ｌ２、Ｌ４に対応する発光要素を持たないので、それら発光要素Ｌ２、Ｌ４の発光態様を除外または無視する。
【００８９】
以上のように、スレーブ再生装置１２ＢのＭＣＵ１２ｃは、マスター再生装置１１から受信したイルミネーション情報に基づき、以上のようにイルミネーション情報を更新し、これに基づき発光要素の発光制御を実行する。この場合、ＭＣＵ１２ｃは、「発光制御部」として機能する。
【００９０】
４．１．３）第３機種のスレーブ再生装置１２Ｃの発光制御
【００９１】
一方、第３機種のスレーブ再生装置１２Ｃ（図２Ｄ参照）の発光要素の数、配置および機能レベルは、マスター再生装置１１のそれと異なる。例えば、マスター再生装置１１の発光要素Ｌ１、Ｌ３と、発光要素Ｌ１"、Ｌ３"とは異なる配置であるが、発光要素Ｌ１、Ｌ３が、発光要素Ｌ１"、Ｌ３"にそれぞれ割り当てられる。この割り当て方は予め決められた事項であり、すなわち、発光要素Ｌ１"がＬ１に対応し、発光要素Ｌ３"がＬ３に対応することが決められている。そして、スレーブ再生装置１２のＭＣＵ１２ｃは、上記式１により、発光要素Ｌ１、Ｌ３の発光態様のデータ（カラー値）を、Ｌ１"、Ｌ３"に輝度値として関連付けるようにして、イルミネーション情報を生成する。
【００９２】
また、マスター再生装置１１の発光要素Ｆ１、Ｆ２の発光態様は、第３機種のスレーブ再生装置１２の発光要素Ｆ１、Ｆ２にそのまま関連付けられるようにして、イルミネーション情報が生成される。このスレーブ再生装置１２は、マスター再生装置１１の発光要素Ｌ２、Ｌ４に対応する発光要素を持たないので、それら発光要素Ｌ２、Ｌ４の発光態様を除外または無視する。
【００９３】
以上のように、スレーブ再生装置１２ＣのＭＣＵ１２ｃは、マスター再生装置１１から受信したイルミネーション情報に基づき、イルミネーション情報を更新し、これに基づき発光要素の発光制御を実行する。
【００９４】
４．１．４）まとめ
【００９５】
本技術に係るマスター再生装置１１は、イルミネーション情報に基づいてそれら発光要素ごとに個別に発光を制御することができる。また、スレーブ再生装置１２は、そのイルミネーション情報を受信し、そのイルミネーション情報または更新されたイルミネーション情報に基づいて、マスター再生装置１１と同期して、オーディオデータに応じた発光を実現できる。
【００９６】
特に、スレーブ再生装置１２の発光要素の数、配置および機能レベルが、マスター再生装置１１のそれとは異なっていたとしても、その機種に応じた発光要素の発光を実現することができる。
【００９７】
本技術によれば、したがって、ユーザーの興趣の向上が図られる。屋内、屋外を問わず、複数のユーザーが音楽と光を共有して楽しむことができる。
【００９８】
４．２）実施形態２
【００９９】
図６は、マスター再生装置１１により生成された、実施形態２に係るイルミネーション情報を示すテーブルである。このイルミネーション情報は、それぞれの発光要素Ｌ１〜Ｌ４、Ｆ１、Ｆ２、Ｓ１、Ｓ２の個別の発光要素にそれぞれ関連付けられた発光パターンを定義するパターンナンバー（Pt.No）と、カラー（Color）を定義するカラーテーブル（Col-Tbl.No）とを含む。
【０１００】
発光パターンは、パターンナンバーごとに予め定義される光り方のパターンである。発光パターンは、例えば数十〜数百個ある。発光パターンは、解析データ（に基づくビート等の情報）に基づいて、このイルミネーション情報内のカラーテーブルを用いて、どのようにその色を変化させるかを規定する。
【０１０１】
カラーテーブルは、カラーテーブルナンバーごとに予め定義されるカラーの変化の範囲を示すテーブルである。すなわち、１つのカラーテーブルは、複数のカラー値（ＲＧＢ値）の組み合わせで規定された範囲でカラーを変化させるためのデータを示す。１つのカラーテーブルは、このイルミネーション情報内の各発光要素の発光パターンのカラー範囲を規定する。例えば１つのカラーテーブルは、１以上の基本カラーとそれを中心としたグラデーションカラーや同系色を規定する。カラーテーブルは、例えば数個〜数十個ある。
【０１０２】
マスター再生装置１１によるこのイルミネーション情報の送信間隔は、所定の時間単位である。その時間単位は、イルミネーション情報の各発光要素およびカラーに対応する発光態様の各データのうち少なくとも１つが変わるタイミングごとの時間である。それら発光態様のデータのうち少なくとも１つが変わるタイミングとは、例えばビート、テンポ、リズム、または調等が変わるタイミング、あるいは、小節数で決まるパターン自体の長さが変わるタイミングである。
【０１０３】
第２機種のスレーブ再生装置１２Ｂが、マスター再生装置１１からそのイルミネーション情報を受信する。そうすると、ＭＣＵ１２ｃは、マスター再生装置１１の発光要素Ｌ１、Ｌ３の発光態様を、自身の発光要素Ｌ１'、Ｌ３'の発光態様として割り当てるようにして、イルミネーション情報を生成し、発光を制御する。マスター再生装置１１の発光要素Ｆ１、Ｆ２の発光態様は、スレーブ再生装置１２の発光要素Ｆ１、Ｆ２によりそのまま実現される。
【０１０４】
また、第２機種のスレーブ再生装置１２ＢのＭＣＵ１２ｃは、マスター再生装置１１の発光要素Ｓ１、Ｓ２の発光態様を、自身の発光要素Ｓ１'、Ｓ２'の発光態様として割り当てるようにして、イルミネーション情報を生成し、発光を制御する。この場合、ＭＣＵ１２ｃは、カラーテーブル内の複数のカラー値を、上記式１を用いて輝度値にそれぞれ変換して、発光要素Ｓ１'、Ｓ２'の発光態様を実現する。
【０１０５】
一方、第３機種のスレーブ再生装置１２Ｃが、マスター再生装置１１からそのイルミネーション情報を受信する。そうすると、ＭＣＵ１２ｃは、マスター再生装置１１の発光要素Ｌ１、Ｌ３の発光態様を、自身の発光要素Ｌ１"、Ｌ３"の発光態様として割り当てるようにしてイルミネーション情報を生成し、発光を制御する。この場合、ＭＣＵ１２ｃは、カラーテーブル内の複数のカラー値を、上記式１を用いて輝度値にそれぞれ変換して、発光要素Ｌ１"、Ｌ３"の発光態様を実現する。
【０１０６】
マスター再生装置１１の発光要素Ｆ１、Ｆ２の発光態様は、スレーブ再生装置１２Ｃの発光要素Ｆ１、Ｆ２によりそのまま実現される。
【０１０７】
以上のように、本実施形態２によれば、上記実施形態１と同様の効果を得ることができる。また、イルミネーション情報が、発光パターンおよびカラーテーブルを含むため、上記実施形態１に比べ、より多彩なイルミネーションを実現できる。
【０１０８】
５．他の種々の実施形態
【０１０９】
本技術は、以上説明した実施形態に限定されず、他の種々の実施形態を実現することができる。
【０１１０】
上記実施形態に係る再生システム１００は、３機種の複数のスレーブ再生装置１２Ａ〜１２Ｃを含んでいた。しかし、再生システム１００は、少なくとも１機種の１以上のスレーブ再生装置１２を含んでいればよい。
【０１１１】
スレーブ再生装置１２のうち少なくとも１つは、１つのみの発光要素を備えていてもよい。
【０１１２】
各スレーブ再生装置１２のＭＣＵ１２ｃは、スレーブ再生装置１２Ａの発光要素、スレーブ再生装置１２Ｂの発光要素、スレーブ再生装置１２Ｃの発光要素という流れで、同じイルミネーション情報を用いて、発光を制御することも可能である。すなわち、個々のスレーブ再生装置１２でディレイ効果が発揮されるようにして発光が変化していく。この場合、上記実施形態２に係るイルミネーション情報が用いられることが望ましい。
【０１１３】
近距離無線通信またはその他の通信手段により接続された時に、マスター再生装置がスレーブ再生装置の構成や仕様を判定するようにしてもよい。例えば、当該接続時に、マスター再生装置は、自身の発光要素と、そのスレーブ再生装置の発光要素の数、配置、機能レベルの比較し、その比較情報を、スレーブ再生装置に送るようにしてもよい。これにより、これら再生装置は接続される相手の再生装置の発光要素の数や配置の情報を予め記憶する必要がなく、当該接続時にその情報を取得することができる。
【０１１４】
各再生装置１０の発光要素の配置、数、機能レベルについては、適宜その設計変更が可能でる。
【０１１５】
上記実施形態では、マスター再生装置１１の発光要素の機能レベルが、第２機種、第３機種のスレーブ再生装置１２Ｂ、１２Ｃのそれより優る構成であった。しかし、マスター再生装置１１のそれが、第２機種および第３機種のそれより劣る構成であってもよい。
【０１１６】
以上説明した各形態の特徴部分のうち、少なくとも２つの特徴部分を組み合わせることも可能である。
【０１１７】
なお、本技術は以下のような構成もとることができる。
（１）
１以上のスレーブ再生装置とオーディオデータの同期再生を実行可能なマスター再生装置であって、
複数の発光要素と、
オーディオデータを解析して得られる解析データに基づき、前記複数の発光要素の発光要素に発光態様を関連付けるイルミネーション情報を生成するように構成された生成部と、
前記生成されたイルミネーション情報を前記１以上のスレーブ再生装置に送信するように構成された送信部と、
前記イルミネーション情報に基づく前記発光態様で前記複数の発光要素を発光させるように構成された発光制御部と
を具備するマスター再生装置。
（２）
前記（１）に記載のマスター再生装置であって、
前記スレーブ再生装置は、少なくとも１つの発光要素を有し、
前記複数の発光要素による発光と、前記スレーブ再生装置の前記発光要素による発光とを同期させるための発光制御コマンドを生成するように構成された発光制御コマンド生成部をさらに具備し、
前記送信部は、前記生成された発光制御コマンドを前記スレーブ再生装置に送信するように構成される
マスター再生装置。
（３）
前記（１）または（２）に記載のマスター再生装置であって、
前記１以上スレーブ再生装置のうち少なくとも１つは、前記マスター再生装置の前記複数の発光要素の数、配置および機能レベルのうち少なくとも１つが異なるように構成された１以上の発光要素を有する異機種スレーブ再生装置であり、
前記送信部は、前記イルミネーション情報を前記異機種スレーブ再生装置に送信するように構成される
マスター再生装置。
（４）
前記（１）から（３）のうちいずれか１つに記載のマスター再生装置であって、
前記生成部は、前記イルミネーション情報の前記発光態様として、前記複数の発光要素のうち、第１発光要素にはカラー値を関連付け、第２発光要素には輝度値を関連付けたイルミネーション情報を生成するように構成される
マスター再生装置。
（５）
前記（１）から（３）のうちいずれか１つに記載のマスター再生装置であって、
前記生成部は、前記イルミネーション情報の前記発光態様として、前記複数の発光要素にそれぞれ関連付けられた発光パターンと、複数のカラー値の組み合わせを規定するカラーテーブルとを含むイルミネーション情報を生成するように構成される
マスター再生装置。
（６）
前記（５）に記載のマスター再生装置であって、
前記生成部は、前記発光パターンによる発光パターンのカラー範囲が、前記カラーテールで規定された前記複数のカラー値の組み合わせで規定されるイルミネーション情報を生成するように構成される
マスター再生装置。
（７）
マスター再生装置とオーディオデータの同期再生を実行可能なスレーブ再生装置であって、
１以上の発光要素と、
オーディオデータと、複数の発光要素を有する前記マスター再生装置により生成されるイルミネーション情報であって、前記オーディオデータの解析データに基づき生成された、前記複数の発光要素の発光要素に発光態様を関連付けるイルミネーション情報とを、前記マスター再生装置から受信するように構成される受信部と、
前記受信したイルミネーション情報に基づき、前記１以上の発光要素を発光させるように構成された発光制御部と
を具備するスレーブ再生装置。
（８）
前記（７）に記載のスレーブ再生装置であって、
前記受信部は、前記複数の発光要素による発光と、前記スレーブ再生装置の前記発光要素による発光とを同期させるための、前記マスター再生装置から送信された発光制御コマンドを受信するように構成される
スレーブ再生装置。
（９）
前記（７）または（８）に記載のスレーブ再生装置であって、
前記１以上の発光要素の数および配置のうち少なくとも一方が、前記マスター再生装置の前記複数の発光要素のそれとは異なる
スレーブ再生装置。
（１０）
前記（７）から（９）のうちいずれか１つに記載のスレーブ再生装置であって、
前記１以上の発光要素のうち少なくとも１つの機能レベルが、前記マスター再生装置の前記複数の発光要素のうち予め対応する少なくとも１つの発光要素の機能レベルとは異なる
スレーブ再生装置。
（１１）
前記（１０）に記載のスレーブ再生装置であって、
前記マスター再生装置は、前記イルミネーション情報の前記発光態様として、前記複数の発光要素のうち少なくとも１つに、カラー値を含む情報を関連付けたイルミネーション情報を生成するように構成され、
前記発光制御部は、前記カラー値を所定のアルゴリズムで変換して、前記１以上の発光要素のうち少なくとも１つを発光させるように構成される
スレーブ再生装置。
（１２）
前記（１１）に記載のスレーブ再生装置であって、
前記発光制御部は、前記カラー値を輝度値に変換するように構成される
スレーブ再生装置。
（１３）
１以上のスレーブ再生装置とオーディオデータの同期再生を実行可能なマスター再生装置による発光方法であって、
オーディオデータを解析して解析データを取得し、
前記取得された解析データに基づき、前記マスター再生装置が有する複数の発光要素の発光要素に発光態様を関連付けるイルミネーション情報を生成し、
前記生成されたイルミネーション情報を前記１以上のスレーブ再生装置に送信し、
前記イルミネーション情報に基づく前記発光態様で前記複数の発光要素を発光させる
発光方法。
（１４）
マスター再生装置とオーディオデータの同期再生を実行可能なスレーブ再生装置による発光方法であって、
オーディオデータと、複数の発光要素を有する前記マスター再生装置により生成されるイルミネーション情報であって、前記オーディオデータの解析データに基づき生成された、前記複数の発光要素の発光要素に発光態様を関連付けるイルミネーション情報とを、前記マスター再生装置から受信し、
前記受信したイルミネーション情報に基づき、前記スレーブ再生装置が有する１以上の発光要素を発光させる
発光方法。
（１５）
前記（１４）に記載の発光方法であって、
前記１以上の発光要素のうち少なくとも１つの機能レベルが、前記マスター再生装置の前記複数の発光要素の機能レベルとは異なり、
前記マスター再生装置は、前記イルミネーション情報の前記発光態様として、前記複数の発光要素のうち少なくとも１つに、カラー値を含む情報を関連付けたイルミネーション情報を生成するように構成され、
前記１以上の発光要素の発光では、前記カラー値を所定のアルゴリズムで変換して、前記１以上の発光要素のうち少なくとも１つを発光させる
発光方法。
【符号の説明】
【０１１８】
１０…再生装置
１１ａ、１２ａ…ＢＴＭ
１１ｂ、１２ｂ…ＤＳＰ
１１ｃ、１２ｃ…ＭＣＵ
１１…マスター再生装置
１２…スレーブ再生装置
１２Ａ…第１機種のスレーブ再生装置
１２Ｂ…第２機種のスレーブ再生装置
１２Ｃ…第３機種のスレーブ再生装置
１４…スピーカー部
１６…発光デバイス
Ｌ１、Ｌ２、Ｌ３、Ｌ４、Ｆ１、Ｆ２、Ｓ１、Ｓ２、Ｌ１'、Ｌ３'Ｌ１"、Ｌ３"…発光要素
【図１】
2018154996.tif 000003
【図２】
2018154996.tif 000004
【図３】
2018154996.tif 000005
【図４】
2018154996.tif 000006
【図５】
2018154996.tif 000007
【図６】
2018154996.tif 000008
【国際調査報告】
2018154996.tif 000009
2018154996.tif 000010
2018154996.tif 000011
2018154996.tif 000012